【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
データ通信の方法であって、
データペイロードを遷移数のセットに変換するステップと、
前記遷移数のセットをシンボルのシーケンスに変換するステップと、
前記データペイロードに対応する前記シンボルのシーケンス中のシンボルから誤り訂正符号を計算するステップと、
前記遷移数のセットが前記誤り訂正符号に対応するさらなる遷移数を含むように、前記誤り訂正符号を前記データペイロードに付加し、前記付加された誤り訂正符号を前記さらなる遷移数に変換し、前記さらなる遷移数をさらなるシンボルに変換するステップと、
複数の信号ワイヤ上で前記シンボルのシーケンス中の前記さらなるシンボルを送信するステップと
を含み、
前記遷移数をシンボルに変換するステップが、
現在のシンボルに対する次のシンボルを選択するために遷移数を使用するステップを含み、前記遷移数の値が、連続したシンボルのペアが2つの同一のシンボルを含まず、シグナリング状態の遷移が前記信号ワイヤのうちの少なくとも1つにおいて発生するような、利用可能なシンボルのテーブルにおける前記現在のシンボルと前記次のシンボルの分離を表す、
方法。
【請求項２】
前記シンボルのシーケンス中でクロック情報を符号化するステップをさらに含み、前記クロック情報が、前記シンボルのシーケンス中の連続したシンボルの各ペアが前記複数の信号ワイヤ上の異なるシグナリング状態を生成する2つのシンボルを含むことを保証することによって、符号化される、
請求項1に記載の方法。
【請求項３】
前記誤り訂正符号を計算するステップが、
前記複数の信号ワイヤ上で送信される複数の信号の各々について誤り訂正符号を計算するステップであって、前記複数の信号が、前記シンボルのシーケンスに対応する、ステップと、
前記複数の信号の前記各々についての前記誤り訂正符号を前記データペイロードに付加するステップと
を含み、
前記複数の信号の前記各々が、前記シンボルのシーケンス中の各シンボル中のビットに対応する、、請求項1に記載の方法。
【請求項４】
前記シンボルのシーケンスを送信するステップが、
前記複数の信号ワイヤから選択された2つの信号ワイヤの異なる組合せの上で搬送される差動信号上で前記シンボルのシーケンス中の各シンボルを送信するステップ
を含み、
前記差動信号の各々が、前記各シンボルのビットに対応し、前記誤り訂正符号を計算するステップが、
差動信号ごとに誤り訂正符号を計算するステップを含み、
前記遷移数のセットが複数の誤り訂正符号に対応する遷移数を含むように、前記複数の誤り訂正符号が前記データペイロードに付加される、請求項1に記載の方法。
【請求項５】
データペイロードを遷移数のセットに変換するための手段と、
前記遷移数のセットをシンボルのシーケンスに変換するための手段と、
前記データペイロードに対応する前記シンボルのシーケンス中のシンボルから誤り訂正符号を計算するための手段と、
前記遷移数のセットが前記誤り訂正符号に対応するさらなる遷移数を含むように、前記誤り訂正符号を前記データペイロードに付加し、前記付加された誤り訂正符号を前記さらなる遷移数に変換し、前記さらなる遷移数をさらなるシンボルに変換するための手段と、
複数の信号ワイヤ上で前記シンボルのシーケンス中の前記さらなるシンボルを送信するための手段と
を備え、
前記遷移数をシンボルに変換するための手段が、
現在のシンボルに対する次のシンボルを選択するために遷移数を使用するための手段を含み、前記遷移数の値が、連続したシンボルのペアが2つの同一のシンボルを含まず、シグナリング状態の遷移が前記信号ワイヤのうちの少なくとも1つにおいて発生するような、利用可能なシンボルのテーブルにおける前記現在のシンボルと前記次のシンボルの分離を表す、
装置。
【請求項６】
Nワイヤインターフェース上で複数の信号を送信するように構成された複数のラインドライバと、
請求項5に記載の手段を具現化するように構成された処理回路とを備える、
トランスミッタ。
【請求項７】
データ通信の方法であって、
複数の信号ワイヤからシンボルのシーケンスを受信するステップと、
前記シンボルのシーケンス中の複数のシンボルから第1の誤り訂正符号を計算するステップであって、前記複数のシンボルが、前記シンボルのシーケンス中で搬送されるデータペイロードに対応する、ステップと、
前記シンボルのシーケンスを遷移数のセットに変換するステップと、
前記データペイロードおよび第2の誤り訂正符号を含むデータパケットを取得するために前記遷移数のセットを変換するステップであって、前記第2の誤り訂正符号が、前記シンボルのシーケンスのトランスミッタによって計算されており、前記第2の誤り訂正符号が、前記シンボルのシーケンスの前記トランスミッタによって前記データペイロードに付加されている、ステップと、
前記第1の誤り訂正符号と前記第2の誤り訂正符号の比較に基づいて、1つまたは複数の誤りが前記シンボルのシーケンス中に存在するかどうかを判断するステップと、
前記データペイロードをレシーバ出力データとして提供するステップと
を含み、
遷移数のシンボルへの変換において、遷移数が現在のシンボルに対する次のシンボルを選択するために使用されており、前記遷移数の値が、連続したシンボルのペアが2つの同一のシンボルを含まず、シグナリング状態の遷移が前記信号ワイヤのうちの少なくとも1つにおいて発生するような、利用可能なシンボルのテーブルにおける前記現在のシンボルと前記次のシンボルの分離を表す、
方法。
【請求項８】
前記第1の誤り訂正符号および前記第2の誤り訂正符号を使用して前記シンボルのシーケンス中の少なくとも1つの誤りを訂正するステップ
をさらに含む、請求項7に記載の方法。
【請求項９】
前記シンボルのシーケンスを前記遷移数のセットに変換するステップが、
利用可能なシンボルのテーブルにおける現在のシンボルおよび直前のシンボルのオカレンス間の分離を表す値として遷移数を導出するステップ
を含む、請求項7に記載の方法。
【請求項１０】
前記シンボルのシーケンスから受信クロックを抽出するステップをさらに含み、クロック情報が、前記シンボルのシーケンス中のシンボルに関連付けられたシグナリング状態の変化に埋め込まれ、前記シンボルのシーケンス中の連続したシンボルの各ペアが、前記複数の信号ワイヤ上の異なるシグナリング状態に関連付けられた2つのシンボルを含む、
請求項7に記載の方法。
【請求項１１】
前記第1の誤り訂正符号を計算するステップが、
前記シンボルのシーケンスから複数の第1の誤り訂正符号を計算するステップを含み、各誤り訂正符号が、前記シンボルのシーケンスの各シンボル中のビットに対応し、
1つまたは複数の誤りが前記シンボルのシーケンス中に存在するかどうかを判断するステップが、
前記複数の第1の誤り訂正符号の各々を、前記データパケットに付加された対応する第2の誤り訂正符号と比較するステップ
を含む、
請求項7に記載の方法。
【請求項１２】
前記シンボルのシーケンス中の各シンボルが、前記複数の信号ワイヤから選択された2つの信号ワイヤの異なる組合せの上で搬送される差動信号のセットとして受信され、
前記差動信号のセット中の各差動信号が、前記各シンボルのビットに対応し、前記第1の誤り訂正符号を計算するステップが、
差動信号ごとに誤り訂正符号を計算するステップ
を含む、請求項7に記載の方法。
【請求項１３】
複数の信号ワイヤからシンボルのシーケンスを受信するための手段と、
前記シンボルのシーケンス中の複数のシンボルから第1の誤り訂正符号を計算するための手段であって、前記複数のシンボルが、前記シンボルのシーケンス中で搬送されるデータペイロードに対応する、手段と、
前記シンボルのシーケンスを遷移数のセットに変換するための手段と、
前記データペイロードおよび第2の誤り訂正符号を含むデータパケットを取得するために前記遷移数のセットを変換するための手段であって、前記第2の誤り訂正符号が、前記シンボルのシーケンスのトランスミッタによって計算されており、前記第2の誤り訂正符号が、前記シンボルのシーケンスの前記トランスミッタによって前記データペイロードに付加されている、手段と、
前記第1の誤り訂正符号と前記第2の誤り訂正符号の比較に基づいて、1つまたは複数の誤りが前記シンボルのシーケンス中に存在するかどうかを判断するための手段と、
前記データペイロードをレシーバ出力データとして提供するための手段と
を備え、
遷移数のシンボルへの変換において、遷移数が現在のシンボルに対する次のシンボルを選択するために使用されており、前記遷移数の値が、連続したシンボルのペアが2つの同一のシンボルを含まず、シグナリング状態の遷移が前記信号ワイヤのうちの少なくとも1つにおいて発生するような、利用可能なシンボルのテーブルにおける前記現在のシンボルと前記次のシンボルの分離を表す、
装置。
【請求項１４】
請求項5に記載の手段を具現化するように構成された処理回路を備える、
レシーバ。
【請求項１５】
少なくとも1つの処理回路によって実行されると、前記少なくとも1つの処理回路に、請求項1から4または7から12のいずれか一項に記載の方法
を行わせる1つまたは複数の命令を有する、
プロセッサ可読記憶媒体。